(57)【要約】【課題】ＬＥＤランプから発光した光を内部に導光し、かつ所定の方向に反射させるようにした色付きコーン用コーンバーを提供する。【解決手段】長尺の円筒状をしており、長尺の中央部分に位置する固定部と、この固定部の両端に位置する伸縮部から成るコーンバー本体と、色付きコーンの円頂部に載置される円環部とこの円環部から上方に立設する把持部から成り、この把持部に伸縮部の一端部が取着されるコーンバー固定材と、複数の太陽電池を略円形に敷き詰め、太陽光の照射を受けて電力を発生させるソーラーパネルと、ソーラーパネルを下面側で支持するとともに、ソーラーパネルで発生させた電力を蓄電する蓄電部を内蔵する支柱と、支柱の回りを回動可能に構成され、ＬＥＤ素子からの光が伸縮部の端部からコーンバー本体に入射するように、把持部で把持されたコーンバー本体に対向して配置されるＬＥＤライトと、固定部内に組み込まれ、ＬＥＤ素子からの出射光を反射させ、コーンバー本体の外に向かわせる反射部材を備える。【選択図】図１
2016017365.tif 000002
【特許請求の範囲】
【請求項１】
長尺の円筒状をしており、長尺の中央部分に位置する固定部と、この固定部の両端に位置する伸縮部から成るコーンバー本体と、
色付きコーンの円頂部に載置される円環部とこの円環部から上方に立設する把持部から成り、この把持部に前記伸縮部の一端部が取着されるコーンバー固定材と、
複数の太陽電池を略円形に敷き詰め、太陽光の照射を受けて電力を発生させるソーラーパネルと、
前記ソーラーパネルを下面側で支持するとともに、前記ソーラーパネルで発生させた電力を蓄電する蓄電部を内蔵する支柱と、
前記支柱の回りを回動可能に構成され、ＬＥＤ素子からの光が前記伸縮部の端部から前記コーンバー本体に入射するように、前記把持部で把持された前記コーンバー本体に対向して配置されるＬＥＤライトと、
前記固定部内に組み込まれ、前記ＬＥＤ素子からの出射光を反射させ、前記コーンバー本体の外に向かわせる反射部材を備えることを特徴とする色付きコーン用コーンバー。
【請求項２】
前記固定部の端部は前記伸縮部に貫入しており、前記伸縮部を回転させることにより、前記コーンバー本体の長さを可変することができることを特徴とする請求項１に記載の色付きコーン用コーンバー。
【請求項３】
前記コーンバー固定材は、複数の色付きコーンが並置された場合に、並列する２個の色付きコーンを連結するものであることを特徴とする請求項２に記載の色付きコーン用コーンバー。
【請求項４】
前記コーンバー固定材は、複数の色付きコーンが並置された場合に、左右の端に位置する色付きコーンに載置するものであることを特徴とする請求項３に記載の色付きコーン用コーンバー。
【請求項５】
前記ソーラーパネルは、起電力の大きさによって、周囲の照度を検知する照度検知手段を備えていることを特徴とする請求項４に記載の色付きコーン用コーンバー。
【請求項６】
前記ＬＥＤライトは、点灯と消灯の制御を行うスイッチを有していることを特徴とする請求項３乃至請求項５のいずれか１項に記載の色付きコーン用コーンバー。
【請求項７】
前記コーンバー本体は、透明もしくは半透明のアクリル樹脂製であることを特徴とする請求項１乃至請求項６のいずれか１項に記載の色付きコーン用コーンバー。
【請求項８】
前記コーンバー本体は、接続用カップリングを用いることにより、２本連結して使用することができることを特徴とする請求項１乃至請求項６のいずれか１項に記載の色付きコーン用コーンバー。
【請求項９】
前記反射部材は、アルミを表面にコーティングした凹面鏡で構成していることを特徴とする請求項１乃至請求項８のいずれか１項に記載の色付きコーン用コーンバー。
【請求項１０】
前記反射部材に代えて、前記コーンバー本体の前記固定部内にアクリル樹脂製の導光板を配設することを特徴とする請求項１乃至請求項６のいずれか１項に記載の色付きコーン用コーンバー。
【発明の詳細な説明】
【技術分野】
【０００１】
本発明は、光を反射又は透過させる色付きコーン用コーンバーに関するものである。
【背景技術】
【０００２】
工事現場では、通行する車両や歩行者の安全確保の観点から、工事場所を明示する色付きコーンが多用されている。
【０００３】
一般的に、夜間工事では、該当場所に自照式色付きコーンを一定の間隔で並べて構成している。従来、自照式色付きコーンの照明方法は、色付きコーンの中に白熱電球を入れ、ＡＣ１００Ｖの電源を配線するものがあるが、積み重ねて保管することができず、保管面積も大きくなる。
【０００４】
そこで、近年では、保管の容易性や省エネルギーの観点から、色付きコーン間を結ぶコーンバーにＬＥＤを内蔵したチューブ等を巻き付けてコンセント電源により発光させることが行われている。
【先行技術文献】
【特許文献】
【０００５】
【特許文献１】特開２００８−２８０８２４号公報
【発明の概要】
【発明が解決しようとする課題】
【０００６】
従来のコーンバーは、夜間では目立たず第三者が誤って衝突するリスクがあることからLEDを内蔵したチューブ等巻き付けてコンセント電源により発光させている。
【０００７】
しかし、巻き付けに手間が掛かること、また、夜間に屋外でコンセント電源を確保することが容易でない、という問題点があった。
【０００８】
さらに、色付きコーンの上部にコーンバー端部の輪を引っ掛けて固定していることから、取付高さが低く、人が簡単に跨ぐことができるという問題点もあった。
【０００９】
そこで、本発明は上記のような課題を解決するためになされたものであり、LEDランプから発光した光を内部に導光し、かつ所定の方向に反射させるようにした色付きコーン用コーンバーを提供することを目的とする。
【課題を解決するための手段】
【００１０】
本発明の一態様によれば、長尺の円筒状をしており、長尺の中央部分に位置する固定部と、この固定部の両端に位置する伸縮部から成るコーンバー本体と、色付きコーンの円頂部に載置される円環部とこの円環部から上方に立設する把持部から成り、この把持部に前記伸縮部の一端部が取着されるコーンバー固定材と、複数の太陽電池を略円形に敷き詰め、太陽光の照射を受けて電力を発生させるソーラーパネルと、前記ソーラーパネルを下面側で支持するとともに、前記ソーラーパネルで発生させた電力を蓄電する蓄電部を内蔵する支柱と、前記支柱の回りを回動可能に構成され、ＬＥＤ素子からの光が前記伸縮部の端部から前記コーンバー本体に入射するように、前記把持部で把持された前記コーンバー本体に対向して配置されるＬＥＤライトと、前記固定部内に組み込まれ、前記ＬＥＤ素子からの出射光を反射させ、前記コーンバー本体の外に向かわせる反射部材を備える色付きコーン用コーンバーであることを特徴とする。
【発明の効果】
【００１１】
本発明によれば、コーンバーの横方向にいる第三者からコーンバーが光って見える為に夜間の視認性が格段に上がり、また、簡単に跨ぐことができない固定位置とするので、第三者を災害に巻き込むリスクを軽減することができる。
【図面の簡単な説明】
【００１２】
【図１】本発明の実施形態に係るコーンバーを色付きコーンに装着した状態を示す図である。
【図２】コーンバー固定材を示す図である。
【図３】コーンバーを上部から見た図である。
【図４】コーンバーの詳細を説明する図である。
【発明を実施するための形態】
【００１３】
以下、本発明の実施形態について、図面を参照して説明する。尚、各図において同一箇所については同一の符号を付すとともに、重複した説明は省略する。
【００１４】
図１は、本発明の実施形態に係るコーンバーを色付きコーンに装着した状態を示す図である。図２は、コーンバー固定材を示す図である。図３は、コーンバーを上部から見た図である。図４は、コーンバーの詳細を説明する図である。
【００１５】
色付きコーンは、セイフティーコーン、道路用コーン等と呼ばれ、円錐形で、通常、プラスチック製のものが多い。色付きコーンは、道路工事現場や建築現場等を明示し、区切るためのものである。
【００１６】
色付きコーンは、円錐状物であるため、これだけで長い距離を区切ったり、立ち入り禁止にすることは難しい。そこで、コーンバーで色付きコーン同士を繋げ、その間を防御している。
【００１７】
図１に示すように、本実施形態に係るコーンバーは、大別すると、コーンバー固定材１、支柱２、ＬＥＤライト３、ソーラーパネル４、反射部材５およびコーンバー本体６で構成されている。
【００１８】
図１に示すように、コーンバー本体６は、長尺の円筒状をしており、長尺の中央部分に位置する固定部６ａと、固定部６ａの両端に位置する伸縮部６ｂから成っている。固定部６ａの端部は伸縮部６ｂに貫入しており、伸縮部６ｂを回転させることにより、コーンバー本体６の長さを可変することができる。コーンバー本体６は、例えば、０．５〜１ｍの長さが好適である。伸縮部６ｂの一端部は、後述するように、コーンバー固定材１に取着されている。コーンバー本体６は、例えば、透明もしくは半透明のアクリル樹脂製が好適である。
【００１９】
図４に示すように、コーンバー本体６は、例えば周知の接続用カップリング６ｃを用いることにより、２本連結して使用することができる。連結することにより、例えば、最大２ｍまで伸ばすことができる。
【００２０】
コーンバー固定材１は、円環部１ａとこの円環部１ａから上方に立設する把持部１ｂから構成されている（図２参照）。
【００２１】
図１に示すように、コーンバー固定材１は、略円錐状の色付きコーンの頂部から円環部１ａを嵌め込むように載置される。
【００２２】
図２に示すように、コーンバー固定材１は、複数の色付きコーンが並置された場合に、並列する２個の色付きコーンを連結するタイプ（図２（ｂ）参照）のものと、左右の端に位置する色付きコーンに載置するタイプ（図２（ａ）参照）のものを用意するのが好適である。コーンバー固定材１は、例えばステンレス製とするのが好適である。
【００２３】
ソーラーパネル４は、太陽からの光エネルギー（光子）を使い、光起電力効果を応用して電気を発生させるもので、例えば、ウェハーベースの結晶シリコンを使った太陽電池を略円形に敷き詰めたものである。ソーラーパネル４は、所望の電圧を確保するため、直列に太陽電池を接続し、所望の電流を確保するためにそれらをさらに並列に接続してパネル状にする。
【００２４】
ソーラーパネル４は、図１に示すように、支柱２によって下面側で支持されている。支柱２内には、充電部（図示しない）が内蔵されており、ソーラーパネル４で発生した電力を充電するように構成されている。
【００２５】
ソーラーパネル４は、太陽光の照射を受けて電力を発生する。周囲が所定の照度より明るい場合は、支柱２内の充電部へ充電を行う。周囲が所定の照度より暗い場合は、ソーラーパネル４が充電部へ充電するだけの電力が発生できなくなり、充電部が基板を介してＬＥＤライト３を点灯させる。
【００２６】
ソーラーパネル４は、周囲の照度を検知する照度検知手段を備えている。照度検知手段は、例えば、ソーラーパネル４の起電力の大きさによって、周囲の照度の大きさを検知するのが好適である。
【００２７】
ＬＥＤライト３は、ＬＥＤ素子からの光が伸縮部６ｂの端部からコーンバー本体６に入射するように、把持部１ｂで把持されたコーンバー本体６に対向して配置される。ＬＥＤライト３は、図３に示すように、支柱２の回りを回動可能に構成されている。
【００２８】
ＬＥＤライト３は、例えば、高輝度赤色ＬＥＤで、１個当たり１万ミリカンデラ以上の輝度ものが好適である。尚、コーンバー本体６の筒内部に赤色のフィルム材を配設した場合には、白色のＬＥＤ素子も使用することができる。
【００２９】
ＬＥＤライト３は、例えば４個のＬＥＤ素子を基板（図示しない）上に配置し、それぞれのＬＥＤ素子は隣のＬＥＤ素子のカソードからアノードへ直結する。
【００３０】
ＬＥＤライト３は、スイッチ（図示しない）を備え、スイッチによって点灯と消灯の制御を行うことができる。ソーラーパネル４が電力を発生し、充電部へ充電可能な状態である場合は、ＬＥＤライト３が点灯可能でないため、スイッチの状態に係わらずＬＥＤライト３は消灯状態になる。尚、スイッチは必須の構成ではない。
【００３１】
反射部材５は、コーンバー本体６の固定部６ａ内に組み込まれ、ＬＥＤ素子からの出射光を反射させ、コーンバー本体６の外に向かわせるものである。反射部材５は、例えばアルミを表面にコーティングした凹面鏡が好適である。尚、反射部材５に代えて、コーンバー本体６の固定部６ａ内に導光板（図示しない）を配設することもできる。導光板は、アクリル樹脂製が好適である。
【００３２】
＜設置・動作＞
次に、以上のように構成したコーンバーの設置・動作について説明する。
【００３３】
まず、工事現場等において、複数の色付きコーンが所定の間隔で配置される。色付きコーン間の距離に合わせて、コーンバーの長さを調整する。この調整では、コーンバー本体６の伸縮部６ｂを回して行う。
【００３４】
本実施形態に係る色付きコーン用コーンバーでは、ＬＥＤライト３から出射した光をコーンバー本体６の内部に取付けた反射部材５で受けて、横方向に反射・拡散させる。そこで、光らせたコーンバーで工事区画を第三者に知らしめるため、ＬＥＤライト３を所定の角度だけ回転させ、反射部材５を調整する。
【００３５】
次いで、色付きコーンにコーンバー固定材１を取付ける。その上に、支柱２を固定しＬＥＤライト３、ソーラーパネル４を取付ける。その後、ＬＥＤライト３に反射部材５もしくは、導光板（図示せず）を内蔵した光るコーンバー本体６を接続する。
【００３６】
ソーラーパネル４で発電した電源でＬＥＤライト３を発光させ、反射部材５で光を反射・拡散する。これにより、コーンバー本体６が発光し、通行人が横方向範囲で視認できる。また、導光板に例えば「立入禁止」、「作業区画」等の文字をＬＥＤライト３で発光させ導光板自体を発光表示させることにより通行人が視認できる。これにより、視認性が格段に上がり、第三者を災害に巻き込むリスクを軽減できる。
【００３７】
また、色付きコーン上部に光るコーンバー本体６を取付けるため従来のコ−ンバーより設置高さが高いことから簡単に跨ぐことができないので、作業区画の安全性を上げることができる。
【００３８】
コーンバー本体６は1本あたり、最短５００ｍｍ〜最長１０００ｍｍ又、カップリングを使用することにより最大２０００ｍｍまで延長が可能である。このため作業区画の構築に必要なコーンバー数を簡略化でき、経済的に優れている。
【００３９】
以上説明したように、本発明の実施形態によれば、コーンバーの横方向にいる第三者からコーンバーが光って見える為に夜間の視認性が格段に上がり、また、簡単に跨ぐことができない固定位置とするので、第三者を災害に巻き込むリスクを軽減することができる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１・・・コーンバー固定材
２・・・支柱
３・・・ＬＥＤライト
４・・・ソーラーパネル
５・・・反射部材
６・・・コーンバー本体
１００・・・コーンバー
【図１】
2016017365.tif 000003
【図２】
2016017365.tif 000004
【図３】
2016017365.tif 000005
【図４】
2016017365.tif 000006